(57)【要約】【目的】容器内の飲料をその場で飲み切ってしまわない場合であっても、飲み口を再度、一時的に覆うことができて飲み口から飲料が漏れることを防止し、捨てられたプルタブが公共の美感を害することがなく、引き剥がされたプルタブは、使用済み容器とともに一時的に処理されることができるプルタブ及び液体用包装容器を提供すること。【構成】プルタブ及び液体用包装容器は、頂部に配設される飲み口を封止するプルタブを有する液体用紙容器に関し、プルタブは、縦長のフィルムを離脱可能に塗布された粘着層で折畳んみ形成され、飲み口を開封してプルタブを剥離した後、折畳まれたフィルムを広げて、内側フィルム面の粘着層で飲み口を覆うことができるように構成したものである。【選択図】　　　　図１
2004075179.tif 000002
【特許請求の範囲】
【請求項１】
液体用紙容器の頂部に配設される飲み口を封止するプルタブであって、
該プルタブが折畳まれた縦長のフィルムからなり、
該フィルムが、折畳まれた内側フィルム面の全面若しくは部分面に、該内側の衛生状態を維持するように粘着するとともに、離脱可能に塗布された粘着層を有し、
折畳まれた該フィルムの下面には、該飲み口を封止するシール面を有し、
該飲み口を開封して該プルタブを剥離した後、折畳まれたフィルムを広げて、該内側フィルム面の粘着層で該飲み口を覆うことができる
ことを特徴とするプルタブ。
【請求項２】
頂部に配設される飲み口を封止するプルタブを有する液体用紙容器であって、
該プルタブが折畳まれた縦長のフィルムからなり、
該フィルムが、折畳まれた内側フィルム面の全面若しくは部分面に、該内側の衛生状態を維持するように粘着するとともに、離脱可能に塗布された粘着層を有し、
折畳まれた該フィルムの下面には、該飲み口を封止するシール面を有し、
該飲み口を開封して該プルタブを剥離した後、折畳まれたフィルムを広げて、該内側フィルム面の粘着層で該飲み口を覆うことができる
ことを特徴とする飲料用包装容器。
【発明の詳細な説明】
【０００１】
【発明の属する技術分野】
本発明は、プルタブ及び液体用包装容器に関する。
【０００２】
【従来の技術】
飲料容器頂壁にプルタブで覆われた飲み口を有する包装容器は、例えば、特開２００１ー０５８６４７号公報に記載されたものが知られている。その容器と開封装置の構造では、飲料容器の頂壁に設けられた飲み口と、その飲み口を覆うプルタブと、飲み口を内側から保護する内側フイルムとが構成されている。
飲み口を覆うプルタブは、例えば、アルミ層とその両側のポリエチレン層との積層フィルムの１片からなり、下面ポリエチレン層でその飲み口をシールする。開封時には、プルタブ一辺の把持部を引き上げ飲み口を開封しその飲み口から飲用する。
【０００３】
【発明が解決しようとする課題】
容器内の飲料をその場で飲み切ってしまわない場合、飲み口を再度、一時的にシールしない限り、動かしたり、傾けたりすれば、飲み口から飲料が漏れる。一時的に再度シールする必要が、場合により、ある。
アルミ製のプルタブを容器から完全に引き剥がした場合、飲用した場所で捨てられ、場合によれば、路上にそのまま捨てられる。捨てられたプルタブは公共の美感を害し、環境保全上で不都合を引き起こす恐れがある。引き剥がされたプルタブは、使用済み容器とともに一時的に処理されることが望まれている。
本発明は、上記の必要性、切望に応えるものであり、容器内の飲料をその場で飲み切ってしまわない場合であっても、飲み口を再度、一時的に覆うことができて飲み口から飲料が漏れることを防止し、捨てられたプルタブが公共の美感を害することがなく、引き剥がされたプルタブは、使用済み容器とともに一時的に処理されることができるプルタブ及び液体用包装容器を提供することを目的とする。
【０００４】
【課題を解決するための手段】
この課題を解決する本発明のプルタブ及び液体用包装容器は、頂部に配設される飲み口を封止するプルタブを有する液体用紙容器に関し、プルタブは、縦長のフィルムを離脱可能に塗布された粘着層で折畳んで形成され、飲み口を開封してプルタブを剥離した後、折畳まれたフィルムを広げて、内側フィルム面の粘着層で飲み口を覆うことができるように構成したものである。
これにより、容器内の飲料をその場で飲み切ってしまわない場合であっても、飲み口を再度、一時的に覆うことができて飲み口から飲料が漏れることを防止し、引き剥がされたプルタブは、使用済み容器とともに一時的に処理されることができるプルタブ及び液体用包装容器が得られる。
【０００５】
【発明の実施の形態】
本発明の請求項１に記載の発明は、液体用紙容器の頂部に配設される飲み口を封止するプルタブに関し、プルタブが折畳まれた縦長のフィルムからなり、そのフィルムが、折畳まれた内側フィルム面の全面若しくは部分面に、その内側の衛生状態を維持するように粘着するとともに、離脱可能に塗布された粘着層を有し、折畳まれたそのフィルムの下面には、その飲み口を封止するシール面を有し、その飲み口を開封してそのプルタブを剥離した後、折畳まれたフィルムを広げて、その内側フィルム面の粘着層でその飲み口を覆うことができる
ことを特徴とする。
【０００６】
請求項２に記載の発明は、頂部に配設される飲み口を封止するプルタブを有する液体用紙容器であって、そのプルタブが折畳まれた縦長のフィルムからなり、そのフィルムが、折畳まれた内側フィルム面の全面若しくは部分面に、その内側の衛生状態を維持するように粘着するとともに、離脱可能に塗布された粘着層を有し、折畳まれたそのフィルムの下面には、その飲み口を封止するシール面を有し、その飲み口を開封してそのプルタブを剥離した後、折畳まれたフィルムを広げて、その内側フィルム面の粘着層でその飲み口を覆うことができる
ことを特徴とする。
【０００７】
上記構成を有するこの発明は、以下の様に作用機能する。
この発明における液体用包装容器は、その液体用紙容器の頂部に飲み口が配設され、プルタブがその飲み口を封止する。その封止は、飲み口の端面を保護する容器内側からの内側フィルムと共に、行うこともできる。
この発明において、プルタブは、従来のプルタブのフィルムと比べて大凡２倍弱の長さを持ち、縦長のフィルムからなる。その縦長のフィルムは、少なくとも２枚重ねに、折畳まれる。
【０００８】
その縦長のフィルムの折畳まれた内側フィルム面の全面若しくは部分面に、粘着層が塗布されている。その粘着層により、容器製造後の流通過程において、従来と実質的に同じ外観を維持し、また、フィルムの内側の衛生状態をチリやゴミ等から守り良好な衛生状態を維持する。粘着層の塗布面積、塗布量、塗布形態は、機能、用途などに応じて適宜選択することができる。その粘着層は、フィルム同士を粘着するとともに、離脱可能に塗布される。
この発明のプルタブは、プルタブ本来の機能として、折畳まれたそのフィルムの下面には、その飲み口を封止するシール面を有する。
容器内の飲料を飲み際には、プルタブの把持部を引き上げ、上記のシール面からその飲み口を開封し、そのプルタブを剥離する。この発明においては、容器内の飲料をその場で飲み切ってしまわない場合、その粘着層が離脱可能に塗布されているので、完全に剥離したプルタブの折畳まれたフィルムを広げることができる。広がったフィルムを引っ繰り返してその内側フィルム面の粘着層の粘着性で、その飲み口を覆うことができる。この再封止により、飲み口を再度、一時的に覆うことができて飲み口から飲料が漏れることを防止することができる。
以下、本発明の実施の形態について、図面を用いて説明する。
【０００９】
（実施の形態１）
図１は、この発明の一実施の形態であるプルタブ付き液体用容器の使用方法を示す外観図である。
図１（Ａ）は、この発明の一実施の形態である液体用容器のプルタブの縦長フィルムを折畳む様子を示す外観図である。この図において、液体用紙容器１は、頂部に配設される飲み口２を封止するプルタブ３を有する。そのプルタブ３が折畳まれた縦長のフィルム４からなる。その縦長のフィルムは、矢印に示す様に２枚重ねに折畳まれる。
その縦長のフィルムの折畳まれた内側フィルム面４ａの全面若しくは部分面に、粘着層（図示せず）が塗布されている。その粘着層により、図１（Ｂ）に示す様に、内側フィルムが互いに密着し、チリやゴミ等の侵入お防ぎ、フィルムの内側の良好な衛生状態を維持する。この態様において、粘着層がその全面に塗布される。その粘着層は、フィルム同士を粘着するとともに、離脱可能に塗布される。
【００１０】
この態様のプルタブ３は、折畳まれたそのフィルム４の下面に、その飲み口２を封止するシール面（図示せず）を有する。
図１（Ｃ）に示す様に、容器内の飲料を飲み際には、プルタブ３の把持部（４ｂ）を引き上げ、シール面からその飲み口２を開封する。図１（Ｄ）に示す様に、そのプルタブ３を剥離する。この態様においては、その粘着層が離脱可能に塗布されているので、完全に剥離したプルタブの折畳まれたフィルム４を広げることができる。図１（Ｅ）に示す様に、広がったフィルム４を引っ繰り返してその内側フィルム面４ａの粘着層の粘着性で、その飲み口２を覆うことができる。
上述の様に、この再封止により、飲み口を再度、一時的に覆うことができて飲み口から飲料が漏れることを防止することができる。
【００１１】
【発明の効果】
以上のように本発明によれば、以下の有利な効果が得られる。
容器内の飲料をその場で飲み切ってしまわない場合であっても、飲み口を再度、一時的に覆うことができて飲み口から飲料が漏れることを防止することができる。
捨てられたプルタブが公共の美感を害することがなく、引き剥がされたプルタブは、使用済み容器とともに一時的に処理されることができる。
複雑な機構の再封止装置を必要とせず、廉価かつ簡易な機構で再封止できる。
従来の外観形状と実質的に同じにすることができる。
【図面の簡単な説明】
【図１】この発明の一実施の形態であるプルタブ付き液体用容器の使用方法を示す外観図
【符号の説明】
１　・・・容器
２　・・・飲み口
３　・・・プルタブ
【図１】
2004075179.tif 000003